(57)【特許請求の範囲】
【請求項１】
光源と、この光源から出射される光束を光学的に処理して画像情報に応じた光学像を形成する光学系と、この光学系で形成される画像を投写面に拡大投写する投写レンズとを備えた投写型表示装置であって、
前記光学系を構成する光変調装置を駆動制御する光変調装置駆動手段を有し、
この光変調装置駆動手段は、前記光変調装置の仕様に応じて設定が異なる個別設定部と、前記光変調装置の仕様によらず共通化された共通設定部とに分割され、
前記共通設定部には、入力される画像情報に基づいて、前記光変調装置に適切な色表示をさせるための駆動制御信号を出力する補正回路が設けられ、
前記個別設定部には、前記光変調装置の解像度に応じて、前記駆動制御信号を相展開する相展開回路が設けられていることを特徴とする投写型表示装置。
【請求項２】
請求項１に記載の投写型表示装置において、
前記個別設定部および前記共通設定部は、それぞれ異なる２枚の回路基板上に形成され、これらの回路基板は積層して配置されていることを特徴とする投写型表示装置。
【請求項３】
請求項１または請求項２に記載の投写型表示装置において、
前記個別設定部には、前記光変調装置の設定情報を担持する情報担持回路が設けられ、
前記補正回路は、この情報担持回路から前記光変調装置の設定情報を取得し、入力される前記画像情報をこの設定情報に基づいて補正して出力することを特徴とする投写型表示装置。
【請求項４】
請求項３に記載の投写型表示装置において、
前記情報担持回路は、切替可能なスイッチング素子を含み構成されていることを特徴とする投写型表示装置。
【請求項５】
請求項３または請求項４に記載の投写型表示装置において、
前記情報担持回路は、前記光変調装置の設定情報を記録する不揮発性のメモリを含み構成されていることを特徴とする投写型表示装置。
【発明の詳細な説明】
【０００１】
【発明の属する技術分野】
本発明は、光源と、この光源から出射される光束を光学的に処理して画像情報に応じた光学像を形成する光学系と、この光学系で形成される画像を投写面に拡大投写する投写レンズとを備えた投写型表示装置に関する。
【０００２】
【背景技術】
従来より、光源ランプと、この光源ランプから出射される光束を光学的に処理して画像情報に応じた光学像を形成する光学系と、この光学系で形成される画像を投写面に拡大投写する投写レンズとを備えた投写型表示装置が知られている。このような投写型表示装置は、会議、学会、展示会等でのマルチメディアプレゼンテーションに広く利用される。
【０００３】
上述した投写型表示装置には、ビデオ、コンピュータ等が接続され、ビデオ、コンピュータ等の機器から出力される画像情報は、光学系を構成する光変調装置によって変調され、これにより、投写型表示装置は、画像情報に応じた光学像を形成することができる。具体的には、画像情報となるコンポジット信号、ＲＧＢ信号は、光変調装置を駆動制御する光変調装置駆動手段を介して、光変調装置に供給される。光変調装置駆動手段は、コンポジット信号、ＲＧＢ信号等の画像信号を所定の信号処理によって画像表示に適合する信号形態に変換し、この変換された信号を光変調装置を駆動する部分に供給するものである。このような光変調装置駆動手段は、従来より、入力される画像信号により光変調装置を駆動する回路として１枚の回路基板に一体で形成されていた。
【０００４】
【発明が解決しようとする課題】
しかしながら、上述した１枚の回路基板上に形成される従来の光変調装置駆動手段には、次のような問題がある。すなわち、光変調装置駆動手段は、ＶＧＡ、ＳＶＧＡ等の光変調装置の解像度等、光変調装置の仕様に応じて設定される部分と、コンポジット信号、ＲＧＢ信号等を画像表示に適合するように処理する部分等のように光変調装置の仕様等によらない部分とを備えている。そして、従来の１枚の回路基板上に形成された光変調装置駆動手段では、光変調装置の仕様によらない信号処理部分を含む回路基板を、投写型表示装置の光変調装置の仕様に応じて専用に設定しなければならず、製造上効率的ではないという問題がある。
【０００５】
また、光変調装置駆動手段を１枚の回路基板上に形成すると、回路基板が大型化し、投写型表示装置の小型化を図る上で好ましくないという問題がある。
【０００６】
本発明の目的は、光源と、この光源から出射される光束を光学的に処理して画像情報に応じた光学像を形成する光学系と、この光学系で形成される画像を投写面に拡大投写する投写レンズとを備えた投写型表示装置において、部材の共通化を図り生産性を向上し、かつ装置の小型化に寄与し得る投写型表示装置を提供することにある。
【０００７】
【課題を解決するための手段】
本発明に係る投写型表示装置は、光源と、この光源から出射される光束を光学的に処理して画像情報に応じた光学像を形成する光学系と、この光学系で形成される画像を投写面に拡大投写する投写レンズとを備えた投写型表示装置であって、前記光学系を構成する光変調装置を駆動制御する光変調装置駆動手段を有し、この光変調装置駆動手段は、前記光変調装置の仕様に応じて設定が異なる個別設定部と、前記光変調装置の仕様によらず共通化された共通設定部とに分割され、前記共通設定部には、入力される画像情報に基づいて、前記光変調装置に適切な色表示をさせるための駆動制御信号を出力する補正回路が設けられ、前記個別設定部には、前記光変調装置の解像度に応じて、前記駆動制御信号を相展開する相展開回路が設けられていることを特徴とする。
【０００９】
また、上述した光変調装置としては、アクティブマトリクス駆動方式の液晶素子、エレクトロルミネッセンス素子、プラズマディスプレイ素子等種々の方式のものを採用することができる。さらに、光変調装置駆動制御手段は、１つの光変調装置の駆動制御するだけでなく、赤（Ｒ）、緑（Ｇ）、青（Ｂ）各色ごとに変調する３板式投写型表示装置のように、複数の光変調装置を同時に駆動制御する場合をも含む。
【００１０】
このような本発明によれば、光変調装置駆動手段が個別設定部と共通設定部とに分割されているので、投写型表示装置の光変調装置の仕様が異なる場合であっても、個別設定部のみ変更すれば、共通設定部を変更する必要がなく、部材管理の合理化を図り、投写型表示装置の生産性の向上が図られる。また、個別設定部と共通設定部に分割して形成されているので、投写型表示装置内部における光変調装置駆動手段の配置自由度が向上し、装置の小型化に寄与し得る。
【００１１】
以上において、上述した個別設定部および共通設定部はそれぞれ異なる２枚の回路基板上に形成され、これらの回路基板は積層して配置されているのが好ましい。
【００１２】
すなわち、個別設定部が形成される回路基板と共通設定部が形成される回路基板とが積層配置されているので、２枚の回路基板の電気的接続を取りやすく、生産性が一層向上する。また、積層配置されているので、２枚の回路基板に挟まれた空間に冷却用空気を流通させることにより光変調装置駆動手段を効率的に冷却することが可能となる。
【００１３】
また、上述した個別設定部には、光変調装置の設定情報を担持する情報担持回路が設けられ、補正回路は、この情報担持回路から前記光変調装置の設定情報を取得し、入力される前記画像情報をこの設定情報に基づいて補正して出力するのが好ましい。
【００１４】
ここで、情報担持回路としては、Ｌｏｗ、Ｈｉｇｈ等で切替可能なスイッチング素子を含む情報担持回路、光変調装置の設定情報を記録する不揮発性のメモリを含む情報担持回路、さらには、両者を備えた情報担持回路を採用することができる。
【００１５】
また、補正回路としては、入力される画像信号に基づいて、光変調装置に所定の色表示をさせるための駆動制御信号を出力するＬＵＴ、およびこのＬＵＴのテーブル情報を、情報担持回路から取得された設定情報に基づいて設定制御するＣＰＵを備えた補正回路を採用することができる。
【００１６】
すなわち、個別設定部が情報担持回路を備えているので、情報担持回路に担持された設定情報を、共通設定部の補正回路で取得して画像信号を補正することができる。従って、光変調装置の特性に差があっても、投写型表示装置の投写画像の適切な色再現性を確保することが可能となる。
【００１７】
また、情報担持回路が切替可能なスイッチング素子を含み構成されていれば、光変調装置の解像度等の比較的単純な情報を担持させることができる。具体的には、情報担持回路に解像度に関する設定情報を担持させる場合、Ｌｏｗ、Ｈｉｇｈに切替可能なスイッチング素子を以下のように組み合わせることにより認識することができる。
【００１８】
解像度          ＳＷ１      ＳＷ２
ＶＧＡ、ＳＶＧＡ    Ｌｏｗ      Ｌｏｗ
ＸＧＡ          Ｌｏｗ      Ｈｉｇｈ
ＳＸＧＡ          Ｈｉｇｈ    Ｈｉｇｈ
さらに、情報担持回路が不揮発性のメモリを含み構成されていれば、光変調装置の印加電圧−光透過特性等の複雑な設定情報を担持させることが可能となり、加えて、複数の光変調装置の設定情報をひとつのメモリ上に記録することが可能となる。尚、不揮発性メモリとしては、Ｅｒａｓａｂｌｅ  Ｐｒｏｇｒａｍｍａｂｌｅ  Ｒｅａｄ  Ｏｎｌｙ  Ｍｅｍｏｒｙ（ＥＰＲＯＭ）、Ｅｌｅｃｔｏｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ（Ｅ２ＰＲＯＭ）等を採用することができ、要するに、情報を書き込み可能であり、かつ投写型表示装置の電源を遮断しても、記録情報が失われないように構成されたものであれば、種々のものを採用することができる。
【００１９】
【発明の実施の形態】
以下、本発明の実施の一形態を図面に基づいて説明する。
【００２０】
（１）装置の全体構成
図１、図２には、本実施形態に係る投写型表示装置１の概略斜視図が示され、図１は上面側から見た斜視図、図２は下面側から見た斜視図である。
【００２１】
投写型表示装置１は、光源ランプから出射された光束を赤（Ｒ）、緑（Ｇ）、青（Ｂ）の三原色に分離し、これらの各色光束を液晶ライトバルブ（変調系）を通して画像情報に対応させて変調し、変調した後の各色の変調光束をプリズム（色合成光学系）により合成して、投写レンズ６を介して投写面上に拡大表示する形式のものである。投写レンズ６の一部を除いて、各構成部品は外装ケース２の内部に収納されている。
【００２２】
（２）外装ケースの構造
外装ケース２は、基本的には、装置上面を覆うアッパーケース３と、装置底面を構成するロアーケース４と、背面部分を覆うリアケース５（図２）とから構成されている。
【００２３】
図１に示されるように、アッパーケース３の上面において、その前方側の左右の端には、多数の連通孔２５Ｒ、２５Ｌが形成されている。また、これらの連通孔２５Ｒ、２５Ｌ間には、投写型表示装置１の画質、ピント等を調整するための操作スイッチ６０が設けられている。さらに、アッパーケース３の前面の向かって左下部分には、図示略のリモートコントローラからの光信号を受信するための受光部７０が設けられている。
【００２４】
図２に示されるように、ロアーケース４の底面には、内部に収納される光源ランプユニット８（後述）を交換するためのランプ交換蓋２７と、装置内部を冷却するための空気取入口２４０が形成されたエアフィルタカバー２３とが設けられている。
【００２５】
また、ロアーケース４の底面には、図２に示すように、その前端の略中央部にフット３１Ｃが設けられ、後端の左右の角部にフット３１Ｒ、３１Ｌが設けられている。尚、フット３１Ｃは、図１に示すレバー３１１を上方に引き上げることにより、後方側の回動機構３１２（図２）によって回動し、図２中の二点鎖線で示すように、前方側が装置本体から離間して開いた状態に付勢される。そして、その回動量を調整することで、投写面上の表示画面の上下方向位置を変更できるようになっている。一方、フット３１Ｒ、３１Ｌは、回転させることで突出方向に進退する構成であり、その進退量を調整することによって表示下面の傾きを変更することが可能である。
【００２６】
リアケース５には、図２に示すように、外部電力供給用のＡＣインレット５０や各種の入出力端子群５１が配置され、これらの入出力端子群５１に隣接して、装置内部の空気を排出する排気口１６０が形成されている。
【００２７】
（３）装置の内部構造
図３〜図５には、投写型表示装置１の内部構造が示されている。図３および図４は装置内部の概略斜視図であり、図５は投写型表示装置１の垂直方向断面図である。
【００２８】
これらの図に示すように、外装ケース２の内部には、電源としての電源ユニット７、光源ランプユニット８、光学系を構成する光学ユニット１０、２枚の回路基板から構成される光変調装置駆動手段となるドライバボード８０、メインボード１２などが配置されている。
【００２９】
電源ユニット７は、投写レンズ６の両側に配置された第１、第２電源ブロック７Ａ、７Ｂで構成されている。第１電源ブロック７Ａは、ＡＣインレット５０を通して得られる電力を変圧して主に第２電源ブロック７Ｂおよび光源ランプユニット８に供給するものであり、トランス（変圧器）、整流回路、平滑回路、電圧安定回路等を備えている。第２電源ブロック７Ｂは、第１電源ブロック７Ａから得られる電力をさらに変圧して供給するものであり、第１電源ブロック７Ａと同様にトランスの他、各種の回路を備えている。そして、その電力は光学ユニット１０の下側に配置された電源回路基板１３（図４中に点線で図示）および各電源ブロック７Ａ、７Ｂに隣接配置された第１、第２吸気ファン１７Ａ、１７Ｂに供給される。また、電源回路基板１３上の電源回路では、第２電源ブロック７Ｂからの電力を基にして主にメインボード１２上の制御回路駆動用の電力を造り出しているとともに、その他の低電力部品用の電力を造り出している。ここで、第２吸気ファン１７Ｂは、第２電源ブロック７Ｂと投写レンズ６との間に配置されており、投写レンズ６とアッパーケース３（図１）との間に形成される隙間を通して冷却用空気を外部から内部に吸引するように設けられている。そして、各電源ブロック７Ａ、７Ｂは、アルミ等の導電性を有するカバー部材２５０Ａ、２５０Ｂを備え、各カバー部材２５０Ａ、２５０Ｂには、アッパーケース３の連通孔２５Ｒ、２５Ｌに対応する位置に音声出力用のスピーカ２５１Ｒ、２５１Ｌが設けられている。
【００３０】
光源ランプユニット８は、投写型表示装置１の光源部分を構成するものであり、光源ランプ１８１およびリフレクタ１８２からなる光源装置１８３と、この光源装置１８３を収納するランプハウジング１８４とを有している。このような光源ランプユニット８は、下ライトガイド９０２（図５）と一体に形成された収容部９０２１で覆われており、上述したランプ交換蓋２７から取り外せるように構成されている。収容部９０２１の後方には、リアケース５の排気口１６０に対応した位置に一対の排気ファン１６が左右に並設されており、これらの排気ファン１６によって第１〜第３吸気ファン１７Ａ〜１７Ｃで吸引された冷却用空気を収容部９０２１近傍に設けられた開口部からその内部に導き入れるとともに、この冷却用空気で光源ランプユニット８を冷却した後、その冷却用空気を排気口１６０から排気している。尚、各排気ファン１６の電力は、電源回路基板１３から供給されるようになっている。
【００３１】
光学ユニット１０は、光源ランプユニット８から出射された光束を、光学的に処理して画像情報に対応した光学像を形成するユニットであり、照明光学系９２３、色分離光学系９２４、変調系９２５、および色合成光学系としてのプリズムユニット９１０とを含んで構成される。変調系９２５およびプリズムユニット９１０以外の光学ユニット１０の光学素子は、上下のライトガイド９０１、９０２の間に上下に挟まれて保持された構成となっている。これらの上ライトガイド９０１、下ライトガイド９０２は一体とされて、ロアーケース４の側に固定ネジにより固定されている。また、これらのライトガイド９０１、９０２は、プリズムユニット９１０の側に同じく固定ネジによって固定されている。
【００３２】
直方体状のプリズムユニット９１０は、図６にも示すように、マグネシウムの一体成形品から構成される側面略Ｌ字の構造体であるヘッド体９０３の裏面側に固定ネジにより固定されている。また、変調系９２５を構成する各液晶ライトバルブ９２５Ｒ、９２５Ｇ、９２５Ｂは、プリズムユニット９１０の３側面と対向配置され、同様にヘッド体９０３に対して固定ネジにより固定されている。尚、液晶ライトバルブ９２５Ｂは、プリズムユニット９１０を挟んで液晶ライトバルブ９２５Ｒと対向した位置に設けられており（図７）、図６ではその引出線（点線）および符号のみを示した。そして、これらの液晶ライトバルブ９２５Ｒ、９２５Ｇ、９２５Ｂは、ヘッド体９０３の下面に位置しかつ前述の空気取入口２４０に対応して設けられた第３吸気ファン１７Ｃからの冷却用空気によって冷却される。この際、第３吸気ファン１７Ｃの電力は、電源回路基板１３からドライバボード８０を介して供給される。さらに、ヘッド体９０３の前面には、投写レンズ６の基端側が同じく固定ネジによって固定されている。このようにプリズムユニット９１０、変調系９２５、投写レンズ６を搭載したヘッド体９０３は、図５に示すように、ロアーケース４に対して固定ネジにより固定されている。
【００３３】
ドライバボード８０は、上述した変調系９２５の各液晶ライトバルブ９２５Ｒ、９２５Ｇ、９２５Ｂを駆動制御するためのものであり、後述する個別設定基板８１および共通設定基板８２から構成されている。個別設定基板８１および共通設定基板８２は、光学ユニット１０の上方に積層配置され、下側に配置される個別設定基板８１と共通設定基板８２とは、スタッドボルト９０１１を介して離間して配置され、互いの対向面には制御回路を形成する図示しない多くの回路素子が実装されている。尚、図示を略したが、両基板８１、８２は、互いに対向する面の対応する位置に設けられるコネクタにより電気的に接続されている。
【００３４】
そして、前述した第３吸気ファン１７Ｃによって吸引された冷却用空気は、液晶ライトバルブ９２５Ｒ、９２５Ｇ、９２５Ｂを冷却した後、個別設定基板８１および共通設定基板８２の間の空間に供給され、各基板８１、８２上の回路素子を冷却する。
【００３５】
メインボード１２は、投写型表示装置１全体を制御する制御回路が形成されたものであり、光学ユニット１０の側方に立設されている。このようなメインボード１２は、前述のドライバボード８０、操作スイッチ６０と電気的に接続されている他、入出力端子群５１が設けられたインターフェース基板１４およびビデオ基板１５と電気的に接続され、また、コネクター等を介して電源回路基板１３に接続されている。そして、メインボード１２の制御回路は電源回路基板１３上の電源回路で造られた電力、すなわち第２電源ブロック７Ｂからの電力によって駆動されるようになっている。尚、メインボード１２の冷却は、第２吸気ファン１７Ｂから第２電源ブロック７Ｂを通って流入する冷却用空気で行われる。
【００３６】
図３において、メインボード１２と外装ケース２（図３ではロアーケース４およびリアケース５のみを図示）との間には、アルミ等の金属製のガード部材１９が配置されている。このガード部材１９は、メインボード１２の上下端にわたる大きな面状部１９１を有しているとともに、上部側が固定ネジ１９２で第２電源ブロック７Ａのカバー部材２５０Ｂに固定され、下端がロアーケース４の例えばスリットに係合支持され、この結果、ロアーケース４にアッパーケース３を取り付ける際にアッパーケース３（図１）とメインボード１２との干渉を防ぐ他、メインボード１２を外部ノイズから保護している。
【００３７】
（４）光学系の構造
次に、投写型表示装置１の光学系即ち光学ユニット１０の構造について、図７に示す模式図に基づいて説明する。
【００３８】
上述したように、光学ユニット１０は、光源ランプユニット８からの光束（Ｗ）の面内照度分布を均一化する照明光学系９２３と、この照明光学系９２３からの光束（Ｗ）を、赤（Ｒ）、緑（Ｇ）、青（Ｂ）に分離する色分離光学系９２４と、各色光束Ｒ、Ｇ、Ｂを画像情報に応じて変調する変調系９２５と、変調後の各色光束を合成する色合成光学系としてのプリズムユニット９１０とを含んで構成されている。
【００３９】
照明光学系９２３は、光源ランプユニット８から出射された光束Ｗの光軸１ａを装置前方向に折り曲げる反射ミラー９３１と、この反射ミラー９３１を挟んで配置される第１のレンズ板９２１および第２のレンズ板９２２とを備えている。
【００４０】
第１のレンズ板９２１は、マトリクス状に配置された複数の矩形レンズを有しており、光源から出射された光束を複数の部分光束に分割し、各部分光束を第２のレンズ板９２２の近傍で集光させる。
【００４１】
第２のレンズ板９２２は、マトリクス状に配置された複数の矩形レンズを有しており、第１のレンズ板９２１から出射された各部分光束を変調系９２５を構成する液晶ライトバルブ９２５Ｒ、９２５Ｇ、９２５Ｂ（後述）上に重畳させる機能を有している。
【００４２】
このように、本例の投写型表示装置１では、照明光学系９２３により、液晶ライトバルブ９２５Ｒ、９２５Ｇ、９２５Ｂ上をほぼ均一な照度の光で照明することができるので、照度ムラのない投写画像を得ることができる。
【００４３】
色分離光学系９２４は、青緑反射ダイクロイックミラー９４１と、緑反射ダイクロイックミラー９４２と、反射ミラー９４３から構成される。まず、青緑反射ダイクロイックミラー９４１において、照明光学系９２３から出射される光束Ｗに含まれている青色光束Ｂおよび緑色光束Ｇが直角に反射され、緑反射ダイクロイックミラー９４２の側に向かう。
【００４４】
赤色光束Ｒはこの青緑反射ダイクロイックミラー９４１を通過して、後方の反射ミラー９４３で直角に反射されて、赤色光束Ｒの出射部９４４からプリズムユニット９１０の側に出射される。次に、青緑反射ダイクロイックミラー９４１において反射された青色、緑色光束Ｂ、Ｇのうち、緑反射ダイクロイックミラー９４２において、緑色光束Ｇのみが直角に反射されて、緑色光束Ｇの出射部９４５からプリズムユニット９１０側に出射される。この緑反射ダイクロイックミラー９４２を通過した青色光束Ｂは、青色光束Ｂの出射部９４６から導光系９２７の側に出射される。本例では、照明光学系９２３の光束Ｗの出射部から、色分離光学系９２４における各色光束Ｒ、Ｇ、Ｂの出射部９４４、９４５、９４６までの距離が全て等しくなるように設定されている。
【００４５】
色分離光学系９２４の赤色、緑色光束Ｒ、Ｇの出射部９４４、９４５の出射側には、それぞれ集光レンズ９５１、９５２が配置されている。従って、各出射部から出射した赤色、緑色光束Ｒ、Ｇは、これらの集光レンズ９５１、９５２に入射して平行化される。
【００４６】
このように平行化された赤色、緑色光束Ｒ、Ｇは、入射側偏光板９６０Ｒ、９６０Ｇを通って液晶ライトバルブ９２５Ｒ、９２５Ｇに入射して変調され、各色光に対応した画像情報が付加される。すなわち、これらの液晶ライトバルブ９２５Ｒ、９２５Ｇは、前述のドライバボード８０によって画像情報に応じてスイッチング制御されて、これにより、ここを通過する各色光の変調が行われる。一方、青色光束Ｂは、導光系９２７を介して対応する液晶ライトバルブ９２５Ｂに導かれ、ここにおいて、同様に画像情報に応じて変調が施される。尚、本実施形態の液晶ライトバルブ９２５Ｒ、９２５Ｇ、９２５Ｂとしては、例えば、ポリシリコンＴＦＴをスイッチング素子として用いたものを採用することができる。
【００４７】
導光系９２７は、青色光束Ｂの出射部９４６の出射側に配置した集光レンズ９５４と、入射側反射ミラー９７１と、出射側反射ミラー９７２と、これらの反射ミラーの間に配置した中間レンズ９７３と、液晶ライトバルブ９２５Ｂの手前側に配置した集光レンズ９５３とから構成されており、集光レンズ９５３から出射した青色光束Ｂは、入射側偏光板９６０Ｂを通って液晶ライトバルブ９２５Ｂに入射して変調される。この際、光束Ｗの光軸１ａおよび各色光束Ｒ、Ｇ、Ｂの光軸１ｒ、１ｇ、１ｂは同一平面内に形成されるようになる。そして、各色光束の光路の長さ、すなわち光源ランプ１８１から各液晶パネルまでの距離は、青色光束Ｂが最も長くなり、従って、この光束の光量損失が最も多くなる。しかし、導光系９２７を介在させることにより、光量損失を抑制できる。
【００４８】
次に、各液晶ライトバルブ９２５Ｒ、９２５Ｇ、９２５Ｂを通って変調された各色光束Ｒ、Ｇ、Ｂは、出射側偏光板９６１Ｒ、９６１Ｇ、９６１Ｂを通ってプリズムユニット９１０に入射され、ここで合成される。そして、このプリズムユニット９１０によって合成されたカラー画像が投写レンズ６を介して所定の位置にある投写面１００上に拡大投写されるようになっている。
【００４９】
（５）光変調装置駆動制御手段（ドライバボード）８０の構造
前述のようにドライバボード８０は、図８のブロック図に示すように、液晶ライトバルブ９２５Ｒ、９２５Ｇ、９２５Ｂの仕様に応じて設定が異なる個別設定基板８１と、液晶ライトバルブ９２５Ｒ、９２５Ｇ、９２５Ｂの仕様によらず共通化された共通設定基板８２とを備えている。
【００５０】
共通設定基板８２は、信号処理ブロック８３、タイミング回路ブロック８４、ＣＰＵ８５、およびアンプ８６を含んで構成され、信号処理ブロック８３およびＣＰＵ８５が補正回路を構成している。
【００５１】
信号処理ブロック８３は、インターフェース基板１４の入出力端子群５１からビデオ基板１５を介して入力される画像信号ＶＩＤＥＯに基づいて、液晶ライトバルブ９２５Ｒ、９２５Ｇ、９２５Ｂに適切な色表示をさせるための駆動制御信号ＳＲ、ＳＧ、ＳＢを出力するブロックであり、各液晶ライトバルブ９２５Ｒ、９２５Ｇ、９２５Ｂに応じて設定される３つのルックアップテーブル（ＬＵＴ）８３Ｒ、８３Ｇ、８３Ｂを備えている。
【００５２】
タイミング回路ブロック８４は、垂直、水平同期信号ＳＹＮＣに基づいて、信号処理ブロック８３、後述する相展開回路ブロック８７Ｒ、８７Ｇ、８７Ｂ、および各液晶ライトバルブ９２５Ｒ、９２５Ｇ、９２５Ｂに設けられるドライバＩＣ（図示略）に駆動タイミング信号ＳＴを出力するブロックである。
【００５３】
ＣＰＵ８５は、信号処理ブロック８３およびタイミング回路ブロック８４を制御するものであり、前述のＬＵＴ８３Ｒ、８３Ｇ、８３Ｂのテーブル情報を設定制御したり、タイミング回路ブロック８４の出力制御を行っている。また、このＣＰＵ８５は、後述するスイッチング素子ブロック８８およびメモリブロック８９と電気的に接続され、これらに担持された情報を取得できるように構成されている。そして、駆動制御信号ＳＲ、ＳＧ、ＳＢは、ＬＵＴ８３Ｒ、８３Ｇ、８３Ｂ内部でＤ／Ａ変換されるとともに、アンプ８６によって増幅されて個別設定基板８１に出力される。
【００５４】
個別設定基板８１は、相展開回路ブロック８７Ｒ、８７Ｇ、８７Ｂ、スイッチング素子ブロック８８、およびメモリブロック８９を含んで構成され、相展開回路ブロック８７は、各液晶ライトバルブ９２５Ｒ、９２５Ｇ、９２５Ｂと接続されている。
【００５５】
相展開回路ブロック８７Ｒ、８７Ｇ、８７Ｂは、液晶ライトバルブ９２５Ｒ、９２５Ｇ、９２５Ｂの解像度に応じて、前記駆動制御信号ＳＲ、ＳＧ、ＳＢを相展開する部分である。このように駆動制御信号ＳＲ、ＳＧ、ＳＢを相展開することにより、本来動作速度の遅い液晶ライトバルブ９２５Ｒ、９２５Ｇ、９２５Ｂを画像信号ＶＩＤＥＯの変化に応じて素早く動作させることができる。尚、本例における相展開回路ブロック８７Ｒ、８７Ｇ、８７Ｂは、所定の展開相数に設定されたＩＣ（図示略）を複数組み合わせることにより構成できる。具体的には、各相展開回路ブロック８７Ｒ、８７Ｇ、８７Ｂには、信号を６相展開するＩＣを接続する接続部が４つ設けられている（図示略）。そして、液晶ライトバルブ９２５Ｒ、９２５Ｇ、９２５Ｂの解像度がＶＧＡ、ＳＶＧＡの場合、ＩＣを１つ接続して６相展開とし、ＸＧＡの場合ＩＣを２つ接続して１２相展開とし、ＳＸＧＡの場合ＩＣを４つ接続して２４相展開とする。
【００５６】
スイッチング素子ブロック８８は、Ｌｏｗ、Ｈｉｇｈに切替可能な２つの抵抗スイッチ８８１、８８２から構成され、２つの抵抗スイッチ８８１、８８２の切替状態の組み合わせにより、個別設定基板８１で対応可能な解像度を判別することができる。本例の場合、以下のような組み合わせで設定されている。
【００５７】
解像度          ＳＷ８８１  ＳＷ８８２
ＶＧＡ、ＳＶＧＡ      Ｌｏｗ      Ｌｏｗ
ＸＧＡ            Ｌｏｗ      Ｈｉｇｈ
ＳＸＧＡ            Ｈｉｇｈ    Ｈｉｇｈ
メモリブロック８９は、投写型表示装置１の電源を遮断しても記録内容が失われない不揮発性のＥ２ＰＲＯＭから構成され、上述した各液晶ライトバルブ９２５Ｒ、９２５Ｇ、９２５Ｂの設定情報が記録される。記録される設定情報には、製造時の各液晶ライトバルブ９２５Ｒ、９２５Ｇ、９２５Ｂの偏差、またはこれらのγ特性等の特性値情報、解像度に応じて設定されるリフレッシュレート等の解像度情報等を含むことができる。尚、このような各液晶ライトバルブ９２５Ｒ、９２５Ｇ、９２５Ｂの設定情報は、投写型表示装置１の製造後、液晶ライトバルブ９２５Ｒ、９２５Ｇ、９２５Ｂの光透過特性等を測定し、その値をメモリブロック８９に記録すればよい。
【００５８】
（６）光変調装置駆動手段（ドライバボード）８０の動作
次に、以上のような構成を有するドライバボード８０の動作について説明する。
【００５９】
▲１▼  投写型表示装置１を起動すると、共通設定基板８２のＣＰＵ８５は、スイッチング素子ブロック８８およびメモリブロック８９から各液晶ライトバルブ９２５Ｒ、９２５Ｇ、９２５Ｂの解像度、γ特性等の設定情報を取得し、取得した設定情報に基づいてＬＵＴ８３Ｒ、８３Ｇ、８３Ｂのテーブル情報を設定する。また、ＣＰＵ８５は、取得した設定情報を、入出力端子群５１を介して投写型表示装置１に接続されるパソコン等の画像出力手段にステータス信号ＳＴＳとして出力する。
【００６０】
▲２▼  入出力端子群５１から入力されたアナログの画像信号は、ビデオ基板１５等によりデジタル変換され、Ｒ、Ｇ、Ｂ各色８ビットからなるデジタルの画像信号ＶＩＤＥＯとして、信号処理ブロック８３を構成するＬＵＴ８３Ｒ、８３Ｇ、８３Ｂに供給される。
【００６１】
▲３▼  各ＬＵＴ８３Ｒ、８３Ｇ、８３Ｂでは、Ｒ、Ｇ、Ｂ各色毎に画像信号ＶＩＤＥＯをインデックスとし、この信号に対応するテーブル情報を内部でアナログ変換した後、駆動制御信号ＳＲ、ＳＧ、ＳＢとして出力する。
【００６２】
▲４▼  この駆動制御信号ＳＲ、ＳＧ、ＳＢは、アンプ８６によって増幅処理された後、個別設定基板８１の相展開回路ブロック８７Ｒ、８７Ｇ、８７Ｂに供給される。相展開回路ブロック８７Ｒ、８７Ｇ、８７Ｂでは、液晶ライトバルブ９２５Ｒ、９２５Ｇ、９２５Ｂの解像度に応じて設定された展開数に基づいて駆動制御信号ＳＲ、ＳＧ、ＳＢを相展開し、各液晶ライトバルブ９２５Ｒ、９２５Ｇ、９２５ＢのドライバＩＣ（図示略）に出力する。
【００６３】
▲５▼  一方、前記画像信号ＶＩＤＥＯとともに入力される同期信号ＳＹＮＣは、タイミング回路ブロック８４に供給される。タイミング回路ブロック８４は、同期信号ＳＹＮＣ、ＣＰＵ８５からの制御信号ＳＣに基づいて、信号処理ブロック８３、相展開回路ブロック８７Ｒ、８７Ｇ、８７Ｂ、および各液晶ライトバルブ９２５Ｒ、９２５Ｇ、９２５ＢのドライバＩＣに駆動タイミング信号ＳＴを出力し、これらの協調動作を図る。
【００６４】
（７）実施形態の効果
このような本実施形態によれば、以下のような効果がある。
【００６５】
▲１▼  光変調装置駆動手段であるドライバボード８０が個別設定基板８１と共通設定基板８２とに分割されているので、投写型表示装置１の液晶ライトバルブ９２５Ｒ、９２５Ｇ、９２５Ｂの仕様が異なる場合であっても、個別設定基板８１のみ変更すれば、共通設定基板８２を変更する必要がなく、部材管理の合理化を図り、投写型表示装置１の生産性を向上できる。また、個別設定基板８１と共通設定基板８２とに分割されているので、投写型表示装置１の内部におけるドライバボード８０の配置自由度が向上し、投写型表示装置１を小型化することができる。
【００６６】
▲２▼  個別設定基板８１と共通設定基板８２とが積層配置されているので、２枚の回路基板８１、８２をコネクタで直接電気的に接続することができ、配線処理の簡素化に伴い、投写型表示装置１の生産性を一層向上することができる。また、両基板８１、８２が積層配置されているので、第３吸気ファン１７Ｃにより吸引された冷却用空気を両基板８１、８２間の空間に導くことにより、基板８１、８２上の回路素子を効率的に冷却することができる。
【００６７】
▲３▼  個別設定基板８１が情報担持回路となるメモリブロック８９を備えているので、各液晶ライトバルブ９２５Ｒ、９２５Ｇ、９２５Ｂの偏差、γ特性等を、このメモリブロック８９に記録しておくことができる。そして、その設定情報をＣＰＵ８５で利用することにより、液晶ライトバルブ９２５Ｒ、９２５Ｇ、９２５Ｂの特性に応じたテーブル情報をＬＵＴ８３Ｒ、８３Ｇ、８３Ｂに設定し、これらＬＵＴ８３Ｒ、８３Ｇ、８３Ｂにより画像信号ＶＩＤＥＯを変換処理して投写画像の色再現性を適切に確保できる。
【００６８】
▲４▼  個別設定基板８１が情報担持回路となるスイッチング素子ブロック８８を含み構成されているので、液晶ライトバルブ９２５Ｒ、９２５Ｇ、９２５Ｂの解像度等の単純な情報を担持させ、個別設定基板８１の仕様の判別の容易化を図ることができる。
【００６９】
▲５▼  メモリブロック８９がＥ２ＰＲＯＭから構成されているので、投写型表示装置１の電源を遮断しても、記録情報が失われることがなく、設定情報を長期間利用することができる。
【００７０】
▲６▼  個別設定基板８１の相展開回路ブロック８７Ｒ、８７Ｇ、８７Ｂが展開相数を変更可能に構成されているので、液晶ライトバルブ９２５Ｒ、９２５Ｇ、９２５Ｂの解像度が異なっても、展開用のＩＣの接続数を増減するだけでよく、部材の共通化を一層図ることができ、投写型表示装置１の生産性をより向上することができる。
【００７１】
▲７▼  ＣＰＵ８５からパソコン等の画像出力手段にステータス信号ＳＴＳを出力するように構成されているので、投写型表示装置１に設定されていない解像度の画像信号がパソコン上で設定されていると、このステータス信号によりパソコン上でその旨を確認することができる。
【００７２】
（８）実施形態の変形
尚、本発明は、前述の実施形態に限定されるものではなく、次に示すような変形をも含むものである。
【００７３】
▲１▼  前述の実施形態では、共通設定基板８２は、個別設定基板８１の上方に積層配置されていたが、これに限られない。すなわち、共通設定基板８２をメインボード１２と同様に縦置き配置してもよく、要するに、投写型表示装置の小型化を図る上で有利ならば、適宜配置位置を変更してもよい。
【００７４】
▲２▼  前述の実施形態では、メモリブロック８９はＥ２ＰＲＯＭにより構成されていたが、これに限らず、ＥＰＲＯＭまたは、内蔵電池等により電源供給を維持できるＲＡＭであってもよい。
【００７５】
▲３▼  前述の実施形態では、光変調装置として液晶ライトバルブ９２５Ｒ、９２５Ｇ、９２５Ｂが採用されていたがこれに限らず、発光素子を用いた変調装置（ＥＬＤ）、高分子分散液晶を用いた変調装置（ＰＤＰ）、マイクロミラーを用いた変調装置（ＤＭＤ）に本発明を利用しても、前述の実施形態の効果と同様の効果を享受することができる。
【００７６】
▲４▼  そして、上述した投写型表示装置１は、３枚の液晶ライトバルブ９２５Ｒ、９２５Ｇ、９２５Ｂを備えていたが、これに限らず、単一の光変調装置を備えた投写型表示装置に本発明を利用しても、前述の実施形態の効果と同様の効果を享受することができる。
【００７７】
その他、本発明の実施の際の具体的な構造および形状等は、本発明の目的を達成できる範囲で他の構造等としてもよい。
【００７８】
【発明の効果】
以上に述べたように、本発明によれば、光変調装置駆動手段が個別設定部と共通設定部とに分割して形成されているので、部材の共通化により生産性を向上することができるうえ、光変調装置駆動手段の配置自由度がすることにより、装置の小型化を図ることができる。
【図面の簡単な説明】
【図１】本発明の実施形態に係る投写型表示装置の上部から見た外観斜視図である。
【図２】前記実施形態における投写型表示装置の下部から見た外観斜視図である。
【図３】前記実施形態における投写型表示装置の内部構造を表す斜視図である。
【図４】前記実施形態における投写型表示装置の内部の光学系を表す斜視図である。
【図５】前記実施形態における投写型表示装置の内部構造を表す垂直断面図である。
【図６】前記実施形態における変調系、色合成光学系、投写レンズを搭載する構造体を表す垂直断面図である。
【図７】前記実施形態における投写型表示装置の光学系の構造を説明するための模式図である。
【図８】前記実施形態における光変調装置駆動手段の構造を表すブロック図である。
【符号の説明】
１  投写型表示装置
６  投写レンズ
１０  光学系
８０  光変調装置駆動手段
８１  個別設定部
８２  共通設定部
８８、８９情報担持回路（スイッチング素子、メモリ）
１８１  光源ランプ
９２５Ｒ、９２５Ｇ、９２５Ｂ  光変調装置
【図１】
0003692781.tif 000002
【図２】
0003692781.tif 000003
【図３】
0003692781.tif 000004
【図４】
0003692781.tif 000005
【図５】
0003692781.tif 000006
【図６】
0003692781.tif 000007
【図７】
0003692781.tif 000008
【図８】
0003692781.tif 000009